(57)【特許請求の範囲】
【請求項１】
第一の基準タイミング信号の位相を第一のフィードバック信号に整合することで、第一のタイミング信号を生成するステップ、
前記第一のフィードバック信号を前記第一のタイミング信号と第二のタイミング信号との一致関数に基づいて生成するステップ、
前記第一のタイミング信号を遠隔基地局に送信するステップ、および
前記第二のタイミング信号を前記遠隔基地局から受信するステップを含むことを特徴とする方法。
【請求項２】
さらに、
前記第一のタイミング信号を遠隔基地局に第一の無線チャネルを用いて送信するステップ、および
前記第二のタイミング信号を前記遠隔基地局から第二の無線チャネルを用いて受信するステップを含むことを特徴とする請求項１の方法。
【請求項３】
第一の基準タイミング信号の位相を第一のフィードバック信号に整合することで、第一のタイミング信号を生成するステップ、
前記第一のフィードバック信号を前記第一のタイミング信号と第二のタイミング信号との一致関数に基づいて生成するステップと、
第二の基準タイミング信号の位相を第二のフィードバック信号に整合することで、前記第二のタイミング信号を生成するステップ、および
前記第二のフィードバック信号を前記第一のタイミング信号と第二のタイミング信号の一致関数に基づいて生成するステップを含むことを特徴とする方法。
【請求項４】
前記一致関数が、ＡＮＤ関数であることを特徴とする請求項１の方法。
【請求項５】
前記一致関数が、ＮＡＮＤ関数であることを特徴とする請求項１の方法。
【請求項６】
前記第一の基準タイミング信号の位相を整合するステップが位相固定ループを用いて遂行されることを特徴とする請求項１の方法。
【請求項７】
第一の基準タイミング信号の位相を第一のフィードバック信号に整合することで、第一のタイミング信号を生成するための第一の位相固定ループ、
前記第一のフィードバック信号を前記第一のタイミング信号と第二のタイミング信号に基づいて生成するための第一の一致ゲート、
前記第一のタイミング信号を遠隔基地局に送信するための第一の送信機、および
前記第二のタイミング信号を前記遠隔基地局から受信するための第一の受信機を含むことを特徴とする装置。
【請求項８】
さらに、
前記第一のタイミング信号を遠隔基地局に第一の無線チャネルを用いて送信するための第一の無線送信機、および
前記第二のタイミング信号を前記遠隔基地局から第二の無線チャネルを用いて受信するための第一の無線受信機を含むことを特徴とする請求項７の装置。
【請求項９】
第一の基準タイミング信号の位相を第一のフィードバック信号に整合することで、第一のタイミング信号を生成するための第一の位相固定ループ、
前記第一のフィードバック信号を前記第一のタイミング信号と第二のタイミング信号に基づいて生成するための第一の一致ゲート、
第二の基準タイミング信号の位相を第二のフィードバック信号に整合することで、前記第二のタイミング信号を生成するための第二の位相固定ループ、および
前記第二のフィードバック信号を前記第一のタイミング信号と前記第二のタイミング信号に基づいて生成するための第二の一致ゲートとを含むことを特徴とする装置。
【請求項１０】
前記一致ゲートが、ＡＮＤゲートであることを特徴とする請求項７の装置。
【請求項１１】
前記一致ゲートが、ＮＡＮＤゲートであることを特徴とする請求項７の装置。
【請求項１２】
第一の基地局および第二の基地局を含む無線電気通信システムであって、
前記第一の基地局が、
（１）第一の基準タイミング信号の位相を第一のフィードバック信号に整合することで、第一のタイミング信号を生成するための第一の位相固定ループ、および
（２）前記第一のフィードバック信号を前記第一のタイミング信号と第二のタイミング信号に基づいて生成するための第一の一致ゲートを含み、
前記第二の基地局が、
（１）第二の基準タイミング信号の位相を第二のフィードバック信号に整合することで、前記第二のタイミング信号を生成するための第二の位相固定ループ、および
（２）前記第二のフィードバック信号を前記第一のタイミング信号と前記第二のタイミング信号に基づいて生成するための第二の一致ゲートを含むことを特徴とする無線電気通信システム。
【請求項１３】
さらに、
無線交換センタを含み、この無線交換センタが、
（１）前記第一の基準タイミング信号および前記第二の基準タイミング信号を生成するためのタイミング信号発生器、
（２）前記第一の基準タイミング信号を前記第一の基地局に第一の有線ラインを用いて送信するための第一の送信機、および
（３）前記第二の基準タイミング信号を前記第二の基地局に第二の有線ラインを用いて送信するための第二の送信機を含むことを特徴とする請求項１２の無線電気通信システム。
【請求項１４】
前記第一の基地局がさらに、
（３）前記第一のタイミング信号を前記第二の基地局に第一の無線チャネルを用いて送信するための第一の無線送信機、および
（４）前記第二のタイミング信号を前記第二の基地局から第二の無線チャネルを用いて受信するための第一の無線受信機を含み、
前記第二の基地局がさらに、
（３）前記第二のタイミング信号を前記第一の基地局に前記第二の無線チャネルを用いて送信するための第二の無線送信機、および
（４）前記第一のタイミング信号を前記第一の基地局から第一の無線チャネルを用いて受信するための第二の無線受信機を含むことを特徴とする請求項１２の無線電気通信システム。
【請求項１５】
前記第一の一致ゲートが第一のＡＮＤゲートであり、前記第二の一致ゲートが第二のＡＮＤゲートであることを特徴とする請求項１２の無線電気通信システム。
【請求項１６】
前記第一の一致ゲートが第一のＮＡＮＤゲートであり、前記第二の一致ゲートが第二のＮＡＮＤゲートであることを特徴とする請求項１２の無線電気通信システム。
【発明の詳細な説明】
【０００１】
【発明の属する技術分野】
本発明は、電気通信システム、より詳細には、無線電気通信システム内で基地局のタイミング信号を同期するための技法に関する。
【０００２】
【従来の技術】
図１は、従来の技術における無線通信システムの一部を略図にて示す。このシステムは、ある地理的エリア内に位置する複数の無線端末（例えば、無線端末１０１−１〜１０１−３）に無線電気通信サービスを提供する。無線電気通信システムの心臓部は、無線交換センタ（“ｗｉｒｅｌｅｓｓ  ｓｗｉｔｃｈｉｎｇ  ｃｅｎｔｅｒ、ＷＳＣ”）であり、これは、移動体交換センタ、あるいは移動体電話交換局としても知られている。典型的には、無線交換センタ（例えば、ＷＳＣ１２０）は、システムによって扱われる地理的領域全体に渡って分布する複数の基地局（例えば、基地局１０３−１〜１０３−５）と、ローカルおよび／あるいは長距離電話網あるいはデータ網（例えば、ローカル局１３０、ローカル局１３８、市外局１４０）に接続される。無線交換センタは、とりわけ、第一の無線端末と第二の無線端末との間、あるいは、無線端末と、ローカルおよび／あるいは長距離網を介してシステムに接続された有線端末（例えば、端末１５０）との間に、呼を設定および維持する任務を持つ。
【０００３】
無線電気通信システムによって扱われる地理的領域は、“セル（ｃｅｌｌｓ）”と呼ばれる複数の空間的に別個なエリアに分割される。図１においては、各セルは、簡略的に六角形にて表される。ただし、実際には、各セルは、セルを取り巻く地形の幾何に依存して不規則な形状を持つ。典型的には、各セルは、一つの基地局を含み、各基地局は、基地局がそのセル内の無線端末と通信するために用いる無線機およびアンテナ、並びに、基地局が無線交換センタと通信するために用いる送信施設を含む。
【０００４】
例えば、無線端末１０１−１のユーザが、情報を無線端末１０１−２のユーザに送信することを望む場合、無線端末１０１−１は、ユーザの情報を含むデータメッセージを基地局１０３−１に送信する。このデータメッセージが、次に、基地局１０３−１によって、有線ライン１０２−１を介して無線交換センタ１２０に中継される。無線端末１０１−２は、基地局１０３−１によって扱われるセル内に存在するために、無線交換センタ１２０はデータメッセージを基地局１０３−１に送り返し、基地局１０３−１は、これを無線端末１０１−２に中継する。
【０００５】
各無線端末と各基地局は、タイミング信号を含み、これを用いて、自身と他のの通信のタイミングを取る。典型的には、このタイミング信号は、正確な時刻（例えば、３：１８Ａ．Ｍ．）を与えるのではなく、無線端末と基地局が追従するためのリズムを確立する一定な周波数を持つ波形である。
【０００６】
無線端末と基地局がいかにうまく通信できるかは、無線端末のタイミング信号と基地局のタイミング信号がどの程度同期されているかに依存する。換言すれば、無線端末のタイミング信号と、基地局のタイミング信号が同期してないときは、無線端末と基地局との間の通信は困難であり、場合によっては、不可能となる。
【０００７】
二つあるいはそれ以上のタイミング信号の同期の程度は、単一のパラメータによって定義することはできず、事実、同期の程度は、２つのパラメータ、つまり：（１）周波数と、（２）位相によって定義される。この２つのパラメータの関係と意味を説明する目的で、図２〜図４のグラフは、様々なタイミング関係にあるペアのタイミング信号を示す。
【０００８】
図２は、異なる周波数を持つという点で同期してない２つのタイミング信号のグラフを示す。これとは、対照的に、図３は、同一の周波数を持つが、ただし、位相が異なるという点で、これも、同期してない２つのタイミング信号のグラフを示す。最後に、図４は、同一の周波数と同一の位相を持ち、同期している２つのタイミング信号のグラフを示す。一般には、無線端末と基地局が通信できるためには、無線端末のタイミング信号と基地局のタイミング信号が、同一の周波数と、ほぼ同一の位相を持つことが必要とされる。
【０００９】
無線端末のタイミング信号と基地局のタイミング信号を同期するための方法は従来の技術において良く知られている。一つの技法においては、基地局がそのタイミング信号を無線端末に送信する。無線端末は、基地局からのタイミング信号を用いて、周期的、散発的、あるいは連続的に、自身のタイミング信号を同期する。基地局は、無線端末に対して、無線端末のタイミング信号を基地局のタイミング信号に同期するように指令するが、基地局は基地局のタイミング信号を無線端末のタイミング信号に同期することはないために、基地局と無線端末との関係は、非対称である。より具体的には、基地局は、マスタ（主人）のように振る舞い、無線端末は、スレーブ（奴隷）のように振る舞う。
【００１０】
状況によっては、無線端末が二つあるいはそれ以上の基地局と、同時に、あるいは比較的短期間内に続けて通信する必要が生じる。このような場合、無線端末のタイミングは、それが通信する全ての基地局のタイミング信号と同期される必要がある。このためには、必然的に、全ての基地局のタイミング信号が互いに同期されることが要求される。換言すれば、ある無線端末が二つあるいはそれ以上の基地局と通信する必要がある場合は、無線端末のタイミング信号が全ての基地局のタイミング信号と同期され、しかも、全ての基地局のタイミング信号が互いに同期される必要がある。これを達成するためには、基地局は基地局同士のタイミング信号を互いに同期し、無線端末は自身のタイミング信号をこれら複数の基地局の一つのタイミング信号と同期する必要がある。
【００１１】
【発明が解決しようとする課題】
複数の基地局のタイミング信号を同期するためには、従来の技術においては２つの技法が存在する。
【００１２】
第一の技法によると、各基地局は、独立であるか、ただし、高度に正確なタイミング源、例えば、その振動数が周知であり、広い環境条件の下で非常に安定なセシウムクロックが用いられる。この技法は、これによって結果的には各基地局のタイミング信号の周波数が同期される点で有効である。ただし、この技法は、これら独立なタイミング信号では、タイミング信号の位相は同期できないという短所がある。従って、この技法は、図３に示すような、周波数は同期しているが、位相は同期してないタイミング信号を生成する傾向を持つ。
【００１３】
第二の技法によると、全ての基地局は、自身のタイミング信号を、単一のタイミング源から送信される基準タイミング信号から生成する。典型的には、このタイミング源は、無線交換センタ内に設置され、基準タイミング信号は各基地局にその基地局と関連する有線ラインを介して送信される。第一の技法と同様に、この第二の技法は、結果的に各基地局のタイミング信号の周波数が同期される点では有効である。ただし、この技法も、第一の技法と同様に、基地局のタイミング信号の位相は同期されないとうい短所がある。
【００１４】
これは、地理的な理由による。つまり、全ての基地局が共通のマスタタイミング信号から必ずしも等距離に位置しないために、基準タイミング信号は、タイミング源から異なる距離を伝搬した後に、各基地局に到達する。そして、基準タイミング信号はタイミング源から各基地局に同一の速度にて伝搬するために、基準タイミング信号は、各基地局の所に、幾分異なる時刻に到着することとなる。そして、タイミング信号が各基地局の所に幾分異なる時刻に到着するために、各基地局の所のタイミング信号の位相は同一でなくなる。
【００１５】
従って、無線電気通信システムの基地局のタイミング信号を、従来の技術のコストおよび短所を伴うことなく、周波数および位相の両面において、同期するための技法が要請されている。
【００１６】
【課題を解決するための手段】
本発明は、無線電気通信システムの基地局のタイミング信号を、周波数および位相の両面において、同期する能力を持つ無線電気通信システムに関する。
【００１７】
本発明の一つの実施例によると、各基地局は、自身のタイミング信号の周波数は第一の周期的な信号から生成し、そのタイミング信号の位相は第二の周期的な信号から生成する。概略的には、基地局は、自身のタイミング信号を、（１）基準タイミング信号の周波数と、（２）フィードバック信号の位相とに基づいて生成する。より詳細には、基地局は、自身のタイミング信号を基準タイミング信号の位相をフィードバック信号に整合させることで生成する。
【００１８】
基準タイミング信号は、一つの共通なタイミング源から得ることも、同一の周波数を持つように設計された異なるタイミング源から得ることもできる。
【００１９】
フィードバック信号は、好ましくは、２つのフィードバックループの合体の結果として生成される。第一のフィードバックループにおいては、フィードバック信号は基地局の自身のタイミング信号の位相に基づき、第二のフィードバックループにおいては、フィードバック信号は付近の一つあるいは複数の基地局からのタイミング信号の位相に基づく。好ましくは、フィードバック信号は、基地局自身のタイミング信号と付近の基地局のタイミング信号の論理ＡＮＤあるいはＮＡＮＤ関数に基づいて生成される。
【００２０】
２つのフィードバックループの使用は、この方法によると、基地局は、基準タイミング信号あるいは一つあるいは複数の基地局のタイミング信号が変化した場合でも、自動的に、同期を達成および維持できるために有益である。本発明の実施例の各基地局がこの方法に従った場合は、各基地局のタイミング信号は、付近の基地局のタイミング信号と、周波数と位相の両方において同期されることとなる。
【００２１】
【発明の実施の形態】
図５は、ある地理的エリア内の一つあるいは複数の無線端末に無線電気通信サービスを提供する無線通信システムの一部を簡略的に示す。この実施例は、無線交換センタ５０１、基地局５０２−１〜５０２−４、および有線ライン５０３−１〜５０３−４を含み、これらは、図示するように相互接続される。この実施例は、４つの基地局を含むが、当業者においては、任意の数の基地局を含む本発明のシステムをいかに設計および使用するかは周知である。
【００２２】
この無線実施例によると、基準タイミング信号が基地局５０２−１〜５０２−４に供給されるが、基準タイミング信号は、好ましくは、２つの値のみを持つ周期波形（例えば、方形波等）とされる。
【００２３】
基準タイミング信号は、各基地局に、（１）中央タイミング源、あるいは（２）ローカルタイミング源のいずれから供給することもできる。一つの方法として、基準タイミング信号を無線交換センタと同一位置に設置された中央タイミング源から有線ラインを介して一つあるいは複数の基地局に供給することも、別の方法として、基準タイミング信号を基地局と同一位置に設置されたローカルタイミング源から基地局に供給することもできる。さらに、当業者においては明らかなように、幾つかの基地局は基準タイミング信号を中央タイミング源から受信するようにし、他の幾つかの基地局は基準タイミング信号をローカルタイミング源から受信するようにすることもできる。基準タイミング信号としてどのようなタイミング源を用いるかに関係なく、基準タイミング信号は、位相は必ずしも同期される必要はないが、同一の周波数を持つことが必須である。
【００２４】
基地局５０２−１〜５０２−４は、おのおの、それが受信する基準タイミング信号を用いて、タイミング信号を生成する。好ましくは、このタイミング信号は、２つの値のみを持つ周期波形（例えば、方形波等）とされる。次に、図６との関連でタイミング信号の生成について詳細に説明する。
【００２５】
各基地局のタイミング信号は、周波数と位相の両方において同期され、以下の４つの用途を持つ。つまり：
１）各基地局は、自身のタイミング信号を用いて、それが扱う無線端末との通信のタイミングを取る；
２）各基地局は、自身のタイミング信号をそれが扱う無線端末に送信し、各無線端末は、このタイミング信号を用いて自身のタイミング信号を同期する；
３）各基地局は、自身のタイミング信号を一つあるいは複数の付近の基地局に送信する；
４）各基地局は、一つあるいは複数の付近の基地局から送信されたタイミング信号を用いて、自身のタイミング信号を生成する。
【００２６】
換言すれば、各基地局によって生成されたタイミング信号が、確実に他の基地局によって生成されたタイミング信号と周波数と位相の両方において同期されることを確保するために、各基地局は、好ましくは、自身のタイミング信号を：
１）自身の基準タイミング信号の周波数、
２）自身のタイミング信号の位相、および
３）一つあるいは複数の付近の基地局から受信されるタイミング信号の位相、に基づいて生成する。
【００２７】
以下では、図６〜８との関連で、各基地局がいかにして自身のタイミング信号を生成するかについて説明する。
【００２８】
図６は、基地局５０２−ｉ（ｉ＝１〜４）の重要な要素をブロック図にて示す。基地局５０２−ｉは、好ましくは、位相固定ループ６０１、無線送信機６０２、（満場）一致ゲート６０３、無線受信機６０４−１〜６０４−ｎ、送信アンテナ６０５、および受信アンテナ６０６を含み、これらは、図示するように相互接続される。これら要素の機能が最初に説明され、その後、これらの動作および相互関係が図７と図８との関連で説明される。
【００２９】
位相固定ループ６０１は、２つの入力、つまり：（１）リード５０２−ｉ上の基準タイミング信号と、（２）一致ゲート６０３からのフィードバック信号を受信する。位相固定ループ６０１は、周知の方法にて、基準タイミング信号の位相をフィードバック信号に整合することで、タイミング信号を生成する。位相固定ループ６０１からのタイミング信号は、無線送信機６０２および一致ゲート６０３の一つの入力に供給される。位相固定ループ６０１からのタイミング信号が一致ゲート６０３の入力に供給され、一致ゲート６０３は位相固定ループ６０１への入力を生成する。これは、この実施例によって用いられる第一のフィードバックループを形成する。
【００３０】
無線送信機６０２は、周知の方法にて、タイミング信号を送信アンテナ６０５を介して基地局５０２−ｉによって扱われる無線端末と、一つあるいは複数の付近の基地局に送信する。類似するやり方で、付近の基地局は、無線送信機６０２によって送信されたタイミング信号を用いて自身のタイミング信号を生成する。これらタイミング信号が各無線端末によって送信され、受信アンテナ６０６によって受信される。
【００３１】
受信アンテナ６０６は、ｎ（ここでｎ≧１）個の付近の基地局からのタイミング信号を受信し、これら信号を、無線受信機６０４−１〜６０４−ｎに供給する。無線受信機６０４−１〜６０４−ｎは、おのおの、これらｎ個の付近の基地局の一つからのタイミング信号を一致ゲート６０３に出力する。
【００３２】
一致ゲート６０３からのフィードバック信号は、その入力の論理関数である。より詳細には、（満場）一致ゲート６０３からのフィードバック信号は、全ての入力が同一の値を持つ場合に限り、真の値、つまり、高値となる。一致ゲート６０３は、周知のように、例えば、論理ＡＮＤゲートあるいは論理ＮＡＮＤゲートとされる。各基地局のタイミング信号に基づいて生成された他の基地局からのタイミング信号を用いて各基地局のタイミング信号を生成するこのループは、この実施例によって用いられる第二のフィードバックループを形成する。
【００３３】
図７は、この実施例の、２つの基地局、つまり、基地局５０２−ｉと基地局５０２−ｊのタイミング信号を同期する動作の流れ図を示す。
【００３４】
ステップ７１０において、基地局５０２−ｉが、上述のように、周知の方法にて、第一の基準タイミング信号を受信する。
【００３５】
ステップ７１１において、第一の基準タイミング信号の位相が、上述のように、位相固定ループ６０１−ｉにて、一致ゲート６０３−ｉからのフィードバック信号と整合される。位相固定ループ６０１−ｉの出力は、基地局５０２−ｉに対するタイミング信号であり、一致ゲート６０３−ｉと、無線送信機６０２−ｉに供給される。当業者においては、位相固定ループ６０１−ｉの設計および使用は周知である。
【００３６】
ステップ７１２において、無線送信機６０２−ｉは、タイミング信号を、周知の方法にて、送信アンテナ６０５−ｉを介して、一つあるいは複数の付近の基地局（例えば、基地局５０２−ｊ）に送信する。
【００３７】
ステップ７１３において、基地局５０２−ｉは、周知の方法にて、ｎ個の付近の基地局（例えば、基地局５０２−ｊ）から、ｎ個の別個の制御チャネルを介して、ｎ個のタイミング信号を受信する。多くのエアーインタフェース標準（例えば、ＩＳ−４１、ＩＳ−５６、ＩＳ−９５、ＧＳＭ等）によると、各基地局は、例えば、それが扱う無線端末による使用のためにタイミング信号を制御チャネルを用いて送信する。このタイミング信号は、上述のように、無線端末によって、各無線端末のクロックを基地局のクロックに同期するために用いられる。
【００３８】
このタイミング信号は、基地局によって、例えば、制御チャネルを用いて送信される。制御チャネルは、トラヒックチャネルと、制御チャネルは電気通信トラヒックの代わりにタイミングや他の制御情報を送信するために用いられる点を除いて類似する。さらに、様々な異なる基地局からの制御チャネルは、異なる基地局からのトラヒックチャネルが互いに区別できるのと同様に、互いに区別することができる（つまり、各制御チャネルは、周波数、時間、あるいは直交コードによって区別することができる）。
【００３９】
各基地局５０２−ｉは、ｎ個の付近の基地局から、ｎ個の制御チャネルを介して、ｎ個のタイミング信号を受信するために、基地局５０２−ｉは、無線受信機６０４−１〜６０４−ｎのおのおのに対して、これらｎ個の入力タイミング信号の一つを受信、復調し、これを一致ゲート６０３−ｉに供給するように指令する。当業者においては、基地局５０２−ｉを、それがｎ個の他の基地局からｎ個のタイミング信号を受信するように、どのように設計および用いるかは周知である。
【００４０】
次に、ステップ７１４において、位相固定ループ６０１−ｉからのタイミング信号が、ｎ個の他の基地局からのｎ個のタイミング信号と共に、一致ゲート６０３−ｉに入力される。一致ゲート６０３−ｉからのフィードバック信号が、上述のように、ステップ７１１において用いられる。
【００４１】
ステップ７２０において、基地局５０２−ｊが、上述のように、周知の方法にて、第二の基準タイミング信号を受信する。
【００４２】
ステップ７２１において、第二の基準タイミング信号の位相が、上述のように、位相固定ループ６０１−ｊにて、一致ゲート６０３−ｊからのフィードバック信号と整合される。位相固定ループ６０１−ｊの出力は、基地局５０２−ｊに対するタイミング信号であり、一致ゲート６０３−ｊと、無線送信機６０２−ｊに供給される。当業者においては、位相固定ループ６０１−ｊの設計および使用は周知である。
【００４３】
ステップ７２２において、無線送信機６０２−ｊは、タイミング信号を、周知の方法にて、送信アンテナ６０５−ｊを介して、一つあるいは複数の付近の基地局（例えば、基地局５０２−ｉ）に送信する。
【００４４】
ステップ７２３において、基地局５０２−ｊは、周知の方法にて、ｎ個の付近の基地局（例えば、基地局５０２−ｉ）から、ｎ個の別個の制御チャネルを介して、ｎ個のタイミング信号を受信する。多くのエアーインタフェース標準（例えば、ＩＳ−４１、ＩＳ−５６、ＩＳ−９５、ＧＳＭ等）によると、各基地局は、例えば、それが扱う無線端末による使用のためにタイミング信号を制御チャネルを用いて送信する。このタイミング信号は、上述のように、無線端末によって、各無線端末のクロックを基地局のクロックに同期するために用いられる。
【００４５】
このタイミング信号は、基地局によって、例えば、制御チャネルを用いて送信される。制御チャネルは、トラヒックチャネルと、制御チャネルは電気通信トラヒックの代わりにタイミングや他の制御情報を送信するために用いられる点を除いて類似する。さらに、様々な異なる基地局からの制御チャネルは、異なる基地局からのトラヒックチャネルが互いに区別できるのと同様に、互いに区別することができる（つまり、各制御チャネルは、周波数、時間、あるいは直交コードによって区別することができる）。
【００４６】
各基地局５０２−ｊは、ｎ個の付近の基地局から、ｎ個の制御チャネルを介して、ｎ個のタイミング信号を受信するために、基地局５０２−ｊは、無線受信機６０４−１〜６０４−ｎのおのおのに対して、これらｎ個の入力タイミング信号の一つを受信、復調し、これを一致ゲート６０３−ｊに供給するように指令する。当業者においては、基地局５０２−ｊを、それがｎ個の他の基地局からｎ個のタイミング信号を受信するように、どのように設計および用いるかは周知である。
【００４７】
ステップ７２４において、位相固定ループ６０１−ｊからのタイミング信号がｎ個の他の基地局からのｎ個のタイミング信号と共に、一致ゲート６０３−ｊに入力される。一致ゲート６０３−ｊからのフィードバック信号が、上述のように、ステップ７２１において用いられる。
【００４８】
図７のステップが一例としての実施例内の全ての基地局において遂行された時点で、各基地局のタイミング信号は、他の全ての基地局のタイミング信号と同期され、同期されたままに留まる。
【００４９】
図８は、本発明の実施例の理解を助ける目的で、一つの基地局と関連する一連のタイミング信号を示す。信号８０１は、位相固定ループ６０１−ｉに入力される基準タイミング信号を示す。信号８０２は、位相固定ループ６０１−ｉから出力されるタイミング信号を示す。この信号８０２の位相は、一致ゲート６０３−ｉからのフィードバック信号である信号８０５の立ち上がりエッジに整合される。信号８０３と８０４は、他の基地局から受信されるタイミング信号を表し、信号８０５は、位相固定ループ６０１−ｉの出力と、他の基地局から受信されるタイミング信号との論理ＡＮＤ関数（演算）の結果として得られる。
【００５０】
上述の実施例は、単に、本発明を解説するためのものであり、当業者においては、本発明の範囲から逸脱することなく、他の多くのバリエーションが可能であると思われる。従って、これらバリエーションも特許請求の範囲あるいはこの同等物に含まれるものと理解される。
【図面の簡単な説明】
【図１】従来の技術による無線電気通信システムを示す略図である。
【図２】周波数が同期してない２つのタイミング信号のグラフを示す図である。
【図３】周波数は同期しているが位相が同期してない２つのタイミング信号のグラフを示す図である。
【図４】同期された２つのタイミング信号のグラフを示す図である。
【図５】本発明の一つの実施例の一部を示す略図である。
【図６】本発明の一つの実施例による基地局の重要な要素を示すブロック図である。
【図７】本発明の一つの実施例の動作を示す流れ図である。
【図８】本発明の一つの実施例において用いられる重要な信号とそれらの相互関係を示す図である。
【符号の説明】
５０１  無線交換センタ
５０２  基地局
５０３  有線ライン
６０１  位相固定ループ
６０２  無線送信機
６０３  （満場）一致ゲート
６０４  無線受信機
６０５  送信アンテナ
６０６  受信アンテナ
【図１】
0003561180.tif 000002
【図２】
0003561180.tif 000003
【図３】
0003561180.tif 000004
【図４】
0003561180.tif 000005
【図５】
0003561180.tif 000006
【図６】
0003561180.tif 000007
【図７】
0003561180.tif 000008
【図８】
0003561180.tif 000009